(57)【要約】【課題】機器が寿命直前であることを使用者に知らせて機器の使用停止を促し、機器が寿命を迎えたときには、機器が寿命であることを使用者に知らせて使用者が機器を使用できないようにして、万一の製品事故を未然に防ぐことのできる電子機器を提供する。【解決手段】記憶された製品寿命対象要素の使用量が製品寿命直前と判定されれば、機器は使用者に製品寿命直前であることを表示して、製品寿命直前負荷停止モードに入り、表示以外の負荷を停止する。製品の使用者は、複数のスイッチ操作により前記製品寿命直前負荷停止モードから復帰させることができる。【選択図】図２
2009168410.tif 000002
【特許請求の範囲】
【請求項１】
機器の製品寿命直前警告を設定する製品寿命直前警告設定部と、
製品寿命対象要素の使用量を計測する計測部と、
前記計測部で計測した使用量を記憶する記憶部と、
前記計測部で計測した使用量が製品寿命直前警告設定部で設定した使用量になれば製品寿命直前信号を出力する寿命直前比較部と、
前記寿命直前比較部から製品寿命直前信号が出力されると製品が寿命直前になったことを表示する寿命直前表示部と、を備えた電子機器であって、
前記製品寿命直前信号が出力されると寿命直前表示部による表示以外の負荷を停止する製品寿命直前負荷停止モードとなり当該電子機器使用者による複数のスイッチ操作で前記寿命直前負荷停止モードから復帰させる復帰部を備えることを特徴とする電子機器。
【請求項２】
前記寿命直前負荷停止モードから復帰させた後で機器の製品寿命到達警告を設定する製品寿命到達警告設定部と、
前記計測部と、
前記計測部で計測した使用量が製品寿命到達警告設定部で設定した使用量になれば製品寿命到達信号を出力する寿命到達比較部と、
前記寿命到達比較部から製品寿命到達信号が出力されると製品が寿命になったことを表示する寿命到達表示部と、
前記製品寿命到達信号が出力されると寿命到達表示部による表示以外の負荷を停止する製品寿命到達負荷停止モードとなり当該電子機器使用者によるスイッチ操作で前記寿命到達負荷停止モードから復帰させることができない非復帰部と、
を備えることを特徴とする請求項１に記載の電子機器。
【請求項３】
寿命直前比較部または寿命到達比較部からの製品寿命直前信号または製品寿命到達信号が出力されると、製品が寿命直前または寿命となったことを音声で報知することができることを特徴とする、請求項１または請求項２に記載の電子機器。
【請求項４】
請求項１〜請求項３のいずれかに記載の電子機器を備えたことを特徴とする家電機器。
【発明の詳細な説明】
【技術分野】
【０００１】
本発明は、電子機器又は家電機器に関する。
【背景技術】
【０００２】
一般に、電子機器や家電機器では機器の機能を実現するために必要な電子部位品が多数使用されている。そして、これらの電子部品については、部品寿命を迎えると、本来電子部品に備えられている機能が劣化し、その結果、機器の性能低下として現れる恐れがある。そのため、従来の機器においては、製品の使用時間を計測し、寿命時間が経過した場合に表示手段により使用者に寿命が来たことを知らせるようにしているものがある（特許文献１）。
【０００３】
【特許文献１】特開２０００−１２１２３８号公報
【特許文献２】特開２００５−２１８４８９号公報
【発明の開示】
【発明が解決しようとする課題】
【０００４】
しかしながら、上記特許文献１に記載された装置においては、寿命時間の経過を表示することは行うものの寿命直前の報知がない。また製品の寿命を使用者が知り得たとしても、その後の使用は可能であり製品事故を生じてしまう可能性があった。本発明は、このような製品事故を未然に防ぐことのできる電子機器を提供することを目的とする。
【課題を解決するための手段】
【０００５】
上記目的を達成するために本発明は、電子機器において、機器の製品寿命直前警告を設定する製品寿命直前警告設定部と、製品寿命対象要素の使用量を計測する計測部と、前記計測部で計測した使用量を記憶する記憶部と、前記計測部で計測した使用量が製品寿命直前警告設定部で設定した使用量になれば製品寿命直前信号を出力する寿命直前比較部と、前記寿命直前比較部から製品寿命直前信号が出力されると製品が寿命直前になったことを表示する寿命直前表示部と、を備えた電子機器であって、前記製品寿命直前信号が出力されると寿命直前表示部による表示以外の負荷を停止する製品寿命直前負荷停止モードとなり当該電子機器使用者による複数のスイッチ操作で前記寿命直前負荷停止モードから復帰させる復帰部を備えることを特徴とする。
【０００６】
この構成によれば、上記製品寿命直前警告設定部と上記計測部と上記記憶部を有し、該計測部で計測した使用量が製品寿命直前警告設定部で設定した使用量になれば製品寿命直前信号を出力し、前記寿命直前比較部から製品寿命直前信号が出力されると製品が寿命直前になったことを表示する。そして、上記製品寿命直前信号が出力されると上記表示部による表示以外の負荷を停止する製品寿命直前負荷停止モードとなり、当該電子機器使用者による複数のスイッチ操作によって、当該機器は上記寿命直前負荷停止モードから復帰する。
【０００７】
また本発明は、上記電子機器において、前記寿命直前負荷停止モードから復帰させた後で機器の製品寿命到達警告を設定する製品寿命到達警告設定部と、前記計測部と、前記計測部で計測した使用量が製品寿命到達警告設定部で設定した使用量になれば製品寿命到達信号を出力する寿命到達比較部と、前記寿命到達比較部から製品寿命到達信号が出力されると製品が寿命になったことを表示する寿命到達表示部と、前記製品寿命到達信号が出力されると寿命到達表示部による表示以外の負荷を停止する製品寿命到達負荷停止モードとなり当該電子機器使用者によるスイッチ操作で前記寿命到達負荷停止モードから復帰させることができない非復帰部と、を備えることを特徴とする。
【０００８】
この構成によれば、前記製品寿命直前負荷停止モードから復帰した機器を使用していた場合、継続して製品寿命対象要素の使用量を常に計測又は記憶し、記憶された前記製品寿命対象要素の使用量が製品寿命に到達する。そうすると、機器は使用者に製品寿命に到達したことを表示して製品寿命到達負荷停止モードに入る。そして、表示以外の負荷を停止する。前記製品寿命到達負荷停止モードに入った場合、使用者はスイッチ操作で前記製品寿命到達負荷停止モードから復帰しない。
【０００９】
また本発明は、上記電子機器において、寿命直前比較部または寿命到達比較部からの製品寿命直前信号または製品寿命到達信号が出力されると、製品が寿命直前または寿命となったことを音声で報知することができることを特徴とする。
【００１０】
この構成によれば、製品寿命直前信号または製品寿命到達信号が出力されると、製品が寿命直前または寿命となったことを音声で報知する。
【００１１】
また本発明は、上記家電機器において、上記電子機器を備えたことを特徴とする。
【発明の効果】
【００１２】
本発明によると、使用者は製品が寿命直前になったことを知り、スイッチ操作により前記製品寿命直前負荷停止モードから復帰させることができる。これにより、使用者は、製品寿命直前から製品寿命到達までの間に機器の使用停止、そして次期機器の購入へとスムーズに移行が可能となる。そして、万一の製品事故を未然に防ぐことができる。
【００１３】
また本発明によると、製品寿命到達負荷停止モードを設けたため、使用者は機器の寿命到達時機を知ることができる。前記製品寿命到達負荷停止モードは、使用者がスイッチ操作で復帰させることができないため、製品寿命に到達した機器の使用停止と、製品寿命を超えて使用したときの万一の製品事故を未然に防ぐことが可能となる。
【００１４】
また本発明によると、使用者に音声によって製品寿命直前または製品寿命到達を報知するので、老人や目の不自由な方にとっても、製品寿命が来たことが分り、万一の製品事故を未然に防ぐことが可能となる。
【００１５】
また本発明によると、電子機器が家電機器であるため、家電機器の万一の製品事故を未然に防ぐことが可能となる。
【発明を実施するための最良の形態】
【００１６】
図１は電子機器の一例である電気カーペットの概略構成図である。電気カーペットは、表生地と裏生地との間に発熱体１ａ，１ｂが挟み込まれたカーペット２の角部にコントローラ４が装着されて構成される。折り畳み可能なカーペット２は、左右２つのブロック３ａ，３ｂに分割され、各ブロック３ａ、３ｂに発熱体１ａ，１ｂが配設される。各発熱体１ａ，１ｂは、コントローラ４に並列に接続され、コントローラ４によって個別に駆動制御される。
【００１７】
発熱体１ａ，１ｂは、図４に示す。巻芯５０と、巻芯５０の周面に巻き付けられた発熱線５１がある。さらに、発熱線５１の上から巻芯５０の周面を覆う内部被覆５２と、内部被覆５２の周面に巻き付けられた感熱線５ａ，５ｂとがある。さらに、感熱線５ａ，５ｂの上から内部被覆５２の周面を覆う外部被覆５３とからなる。感熱線５ａ，５ｂもコントローラ４に接続されている。
【００１８】
コントローラ４を図２及び図３に示す。図１の各ブロック３ａ，３ｂごとの温度を設定する温度調節部６ａ，６ｂがある。また、各ブロック３ａ，３ｂにおける温度に応じた表示を行う表示部７ａ，７ｂがある。また、図２に示す通り、設定された温度に基づいて各発熱体１ａ，１ｂを制御するとともに表示部７ａ，７ｂを駆動制御する制御装置８がある。さらに、ブザー１５と、復帰スイッチ１４と、電源スイッチ９と、電源ランプ１０とを備える。これらがケースに設けられている。また、ダニ等の害虫を駆除する害虫駆除運転を行うためのダニモードスイッチ１２を備えている。
【００１９】
温度調節部６ａ，６ｂは、それぞれ温度調整スイッチとしてのスライドつまみ１３ａ，１３ｂを有し、「切」状態から「弱」、「中」を経て「強」まで複数の段階で温度を切り替えることができる。温度調節部６ａ，６ｂは、左右のブロック３ａ，３ｂに対応して左右に並べられている。スライドつまみ１３ａ，１３ｂの移動位置に合わせて設定温度の強弱のマークが印されている。一方のブロック３ｂに対応した温度調節部６ｂ、図３では右側の温度調節部６ｂは、ダニモードスイッチ１２の一部を兼用している。すなわち、スライドつまみ１３ｂを一番右側にしたときに、ダニモードスイッチ１２がオンになる。
【００２０】
表示部７ａ，７ｂは、２つの温度調節部６ａ，６ｂに対向するように２つ設けられ、ブロック３ａ，３ｂの配置と同じように左右に並べて配置される。
【００２１】
制御部８について説明する。まず、温度調節部６ａ、６ｂからの入力に基づいて温度を設定する温度設定回路２０ａ、２０ｂがある。そして、発熱体１ａ、１ｂへの通電をそれぞれ制御する加熱駆動回路２１ａ、２１ｂがある。さらに、ブロック３ａ、３ｂごとに設定された温度になるように発熱体１ａ、１ｂを駆動する。
【００２２】
温度設定回路２０ａ，２０ｂは、温度調節部６ａ，６ｂのスライドつまみ１３ａ，１３ｂの位置に応じた設定信号を制御部２２に出力する。加熱駆動回路２１ａ，２１ｂは、各発熱体１ａ，１ｂに対応して２つのリレーを有する。いずれかの一方がリレーのオン（閉）で、他方がオフ（開）である。リレーのオン（閉）またはオフ（開）により発熱体１ａ，１ｂに通電する。そして、マイクロコンピュータからなる制御部２２に接続する記憶部２７は、前記２つのリレーの開閉回数をそれぞれ記憶する。
【００２３】
また、制御部２２は、ダニモードスイッチ１２がオンされたことを検知すると、ブザー１５により報知し、害虫駆除運転を行う。害虫駆除運転のとき、所定温度になるように各ブロック３ａ，３ｂの発熱体１ａ，１ｂに一定時間だけ通電が行われる。所定温度とは、ダニ等の害虫を駆除できる温度とされている。この場合は温度調整部６ｂで調整するところの「強」に設定される。さらに、ダニモードスイッチ１２がオンされると、制御部２２は、左側のブロック３ａが切状態にあっても、あるいは通常の運転中であっても、強制的に所定温度での運転を開始する。そして、害虫駆除運転の実行を表示するために表示部７ａ，７ｂのＬＥＤを駆動する。
【００２４】
設定部２５は、機器の寿命直前を設定するための製品寿命直前警告設定部と、後述する寿命直前負荷停止モードから復帰させた後機器の製品寿命到達警告を設定する製品寿命到達警告設定部からなる。
【００２５】
計測部２６は、製品寿命対象要素であるリレーの使用量を計測する。
【００２６】
比較部２８は、計測部２６で計測した使用量が設定部２５の製品寿命直前警告設定部で設定した使用量になれば製品寿命直前信号を出力する寿命直前比較部と、計測部２６で計測した使用量が設定部２５の製品寿命到達警告設定部で設定した使用量になれば製品寿命到達信号を出力する寿命到達比較部とからなる。
【００２７】
寿命表示部２９は、上記寿命直前信号が出力されると製品が寿命直前になったことを表示する寿命直前表示部と、上記製品到達信号が出力されると製品が寿命になったことを表示する寿命到達表示部とからなる。
【００２８】
復帰部３０は、上記製品寿命直前信号が出力されると上記寿命直前表示部による表示以外の負荷を停止する製品寿命直前負荷停止モードなるため、当該電子機器使用者による複数のスイッチ操作によって、前記寿命直前負荷停止モードから復帰させる。
【００２９】
非復帰部３１は、上記製品寿命到達信号が出力されると寿命到達表示部による表示以外の負荷を停止する製品寿命到達負荷停止モードとなり、当該電子機器使用者によるスイッチ操作によっても、上記寿命到達負荷停止モードから復帰させることができない。
【００３０】
図５及び図６（図６は図５のフローチャートの続き）は電子機器の一例である上記構成の電気カーペットにおける本発明の一実施例を示すフローチャートである。
【００３１】
まず、電源プラグをコンセントに差し込み、ステップＳ５０１で電源スイッチ９をオンすると、電源ランプ１０が点灯する。ステップＳ５０４で左右の温度調節部６ａ，６ｂによって各ブロック３ａ，３ｂの温度を設定（例えば、左側のみを「強」に設定）する。そうすると、ステップＳ５０５で現在までの左側用リレーの開閉カウントを読み出す。そして、ステップＳ５０６で設定された温度になるように発熱体１ａの通電が制御される。このとき、表示部７ａが点灯する。発熱体１ａの通電制御のために左側用リレーが開→閉または閉→開に動作すると、ステップＳ５０７において、計測部２６を用いて左側用リレー開閉カウントをカウントアップする。
【００３２】
そして、ステップＳ５０８において、記憶部２７を用いて左側用リレー開閉カウントを記憶する。記憶部は機器内部のメモリであっても良いし、外部から接続できるメモリでも良い。
【００３３】
ステップＳ５１０において、比較部２８を用いて（この場合は寿命直前比較部）、左側用リレー開閉カウントと後述する寿命直前警告設定値を比較する。
【００３４】
寿命直前警告設定値とは、設定部２５（この場合は製品寿命直前警告設定部）で設定する値である。製品寿命直前警告設定部の一例をあげれば、マイクロコンピュータへのプログラミングがある。そこで、寿命直前警告設定値として２９万９０００回を装置内にて設定する。設定を記憶するため、記憶部２７と併用してもよい。この値は製品によって異なり、適時修正可能である。
【００３５】
ここで、左側用リレー開閉カウントが寿命直前警告設定値を上回ると、製品寿命直前信号を受け取ったマイクロコンピュータからなる制御部２２は、ステップＳ５１２において、寿命表示部２９（この場合寿命直前警告表示部）以外の負荷を停止する。ここで、寿命直前警告表示部の寿命直前警告表示内容の一例を挙げれば、表示部７ａと電源ランプ１０の１秒周期点滅、あるいは表示部７ａと電源ランプ１０の１秒周期点滅とブザー１５による１秒周期ＯＮ／ＯＦＦ報知等がある。
【００３６】
そして、寿命直前負荷停止モードとなる。前記寿命直前負荷停止モードは、ステップＳ５１３において、復帰部３０により通常モードへ復帰させることができる。ステップＳ５１３における使用者による複数のスイッチ操作の一例としては、電源スイッチ９と復帰スイッチ１４の同時操作がある。勿論、他のスイッチ操作を組み合わせてもよい。
【００３７】
以後は、左側用リレー開閉カウントが寿命到達警告設定値を上回るまで、通常運転を続けることができる。ここで寿命到達警告設定値は、設定部２５（この場合製品寿命到達警告設定部）によって設定する。製品寿命到達警告設定部の一例をあげれば、マイクロコンピュータへのプログラミングによる設定がある。寿命到達警告設定値として３０万回を装置内にて設定する。また、このとき寿命直前警告設定値と寿命到達警告設定値の値を比較して、寿命到達警告設定値の方が小さければ、警告を出してもよい。また、設定を記憶するため、記憶部２７と併用してもよい。この値は製品によって異なり、適時修正可能である。
【００３８】
使用者には、この製品寿命直前値から製品寿命到達値までの間に機器の使用停止、そして次期機器の購入を促すものである。これは表示部７ａ、７ｂによる表示やブザー１５によるメッセージであってもよい。
【００３９】
ステップＳ５０９において、比較部２８（この場合寿命到達比較部で）は、左側用リレー開閉カウントが前記寿命到達警告設定値を上回ると、製品寿命到達信号を受け取ったマイクロコンピュータからなる制御部２２は、ステップＳ５１５において、寿命表示部（この場合寿命到達警告表示部）で寿命到達警告表示以外の負荷を停止する。そして、寿命到達負荷停止モードとなる。寿命到達警告表示の一例を挙げれば、各表示部７ａ，７ｂと電源ランプ１０の０．５秒周期点滅、あるいは各表示部７ａ，７ｂと電源ランプ１０の０．５秒周期点滅とブザー１５による０．５秒周期ＯＮ／ＯＦＦ報知がある。
【００４０】
そして、ステップＳ５０２で示す通り、一度前記寿命到達負荷停止モードになると、使用者のスイッチ操作で通常モードへ復帰させることはできない非復帰部３１となる。つまり、使用者による機器の使用は禁止される。
【００４１】
また、ステップＳ５０３で示す通り、寿命直前負荷停止モードになると、ステップＳ５１２へ進み、寿命直前警告表示以外の負荷を停止する。
【００４２】
寿命直前比較部または寿命到達比較部からの製品寿命直前信号または製品寿命到達信号が出力されると、製品が寿命直前または寿命となったことを音声で報知することができるようにしてもよい。この場合、ブザー１５から当該音声を報知してもよい。また外部媒体のスピーカーを経由して報知してもよい。
【００４３】
なお、本発明は、上記実施形態に限定されるものではなく、本発明の要旨の範囲内で上記実施形態に修正及び変更を加え得ることは可能である。例えば、前記実施例では、左側用リレーに着目して説明したが、右側用リレーの開閉カウントを加味した寿命直前比較手段及び寿命到達比較手段としてもよい。
また、前記実施例では、リレーの開閉回数を製品寿命対象要素としたが、発熱線５１への通電時間を製品寿命対象要素としてもよい。
【産業上の利用可能性】
【００４４】
本発明は、電子機器の寿命直前または到達したときの制御に関する発明である。
【図面の簡単な説明】
【００４５】
【図１】本発明の電子機器の一例である電気カーペットの概略構成図
【図２】本発明の電子機器の一例である電気カーペットにおけるコントローラのブロック図
【図３】本発明の電子機器の一例である電気カーペットにおける表示部を示す図
【図４】本発明の電子機器の一例である電気カーペットを構成する一線式発熱体の構造を示す図
【図５】本発明の電子機器の一例である電気カーペットにおけるフローチャート
【図６】本発明の電子機器の一例である電気カーペットにおけるフローチャート
【符号の説明】
【００４６】
１ａ，１ｂ        発熱体
２                カーペット
３ａ，３ｂ        各ブロック
４                コントローラ
５ａ，５ｂ        感熱線
６ａ，６ｂ        温度調節部
７ａ，７ｂ        表示部
８                制御装置
９                電源スイッチ
１０              電源ランプ
１２              ダニモードスイッチ
１３ａ，１３ｂ    スライドつまみ
１４              復帰スイッチ
１５              ブザー
２０ａ，２０ｂ    温度設定回路
２１ａ，２１ｂ    加熱駆動回路
２２              制御部
２５              設定部
２６              計測部
２７              記憶部
２８              比較部
２９              寿命表示部
３０              復帰部
３１              非復帰部
【図１】
2009168410.tif 000003
【図２】
2009168410.tif 000004
【図３】
2009168410.tif 000005
【図４】
2009168410.tif 000006
【図５】
2009168410.tif 000007
【図６】
2009168410.tif 000008
【手続補正書】
【提出日】平成20年1月23日(2008.1.23)
【手続補正１】
【補正対象書類名】特許請求の範囲
【補正対象項目名】請求項３
【補正方法】変更
【補正の内容】
【請求項３】
寿命直前比較部または寿命到達比較部から製品寿命直前信号または製品寿命到達信号が出力されると、製品が寿命直前または寿命となったことを音声で報知することができることを特徴とする、請求項１または請求項２に記載の電子機器。
【手続補正２】
【補正対象書類名】明細書
【補正対象項目名】０００２
【補正方法】変更
【補正の内容】
【０００２】
一般に、電子機器や家電機器では機器の機能を実現するために必要な電子部品が多数使用されている。そして、これらの電子部品については、部品寿命を迎えると、本来電子部品に備えられている機能が劣化し、その結果、機器の性能低下として現れる恐れがある。そのため、従来の機器においては、製品の使用時間を計測し、寿命時間が経過した場合に表示手段により使用者に寿命が来たことを知らせるようにしているものがある（特許文献１）。
【手続補正３】
【補正対象書類名】明細書
【補正対象項目名】０００９
【補正方法】変更
【補正の内容】
【０００９】
また本発明は、上記電子機器において、寿命直前比較部または寿命到達比較部から製品寿命直前信号または製品寿命到達信号が出力されると、製品が寿命直前または寿命となったことを音声で報知することができることを特徴とする。
【手続補正４】
【補正対象書類名】明細書
【補正対象項目名】００４２
【補正方法】変更
【補正の内容】
【００４２】
寿命直前比較部または寿命到達比較部から製品寿命直前信号または製品寿命到達信号が出力されると、製品が寿命直前または寿命となったことを音声で報知することができるようにしてもよい。この場合、ブザー１５から当該音声を報知してもよい。また外部媒体のスピーカーを経由して報知してもよい。
【手続補正５】
【補正対象書類名】図面
【補正対象項目名】図６
【補正方法】変更
【補正の内容】
【図６】
2009168410.tif 000009